(57)【要約】【課題】  毛穴清掃及び老廃物除去効果と無刺激での皮膚のうるおい効果とを示し、更にはアトピー症状抑制効果も示すシラス石鹸を提供すること。【解決手段】  ココナッツオイルからなる石鹸ベース材と、少なくとも火山灰シラス、トコフェロール（又はその誘導体、例えばトコフェリルアセテート）及びプロポリスとを基本成分とし、オリーブオイル、スクアレン、ヒアルロン酸、香料及びグリセリンからなる群より選ばれた少なくとも１種を更に含有して、毛穴清掃及び老廃物除去効果と、無刺激での皮膚のうるおい効果とを示すシラス石鹸、或いは、落花生油、ヒノキチオール、アロエベラ、セラマイド、緑茶及びペニーロイヤルミントオイルからなる群より選ばれた少なくとも１種を更に含有して、アトピー症状抑制効果も示すシラス石鹸。【選択図】  なし【特許請求の範囲】
【請求項１】
石鹸ベース材と、少なくともシラス、トコフェロール（又はその誘導体）及びプロポリスとを含有してなるシラス石鹸。
【請求項２】
前記シラスが火山灰からなり、前記石鹸ベース材がココナッツオイルからなり、前記トコフェロール誘導体がトコフェリルアセテートからなる、請求項１に記載したシラス石鹸。
【請求項３】
オリーブオイル、スクアレン、ヒアルロン酸、香料及びグリセリンからなる群より選ばれた少なくとも１種を更に含有する、請求項１又は２に記載したシラス石鹸。
【請求項４】
毛穴清掃及び老廃物除去効果と、無刺激での皮膚のうるおい効果とを示す、請求項３に記載したシラス石鹸。
【請求項５】
落花生油、ヒノキチオール、アロエベラ、セラマイド、緑茶及びペニーロイヤルミントオイルからなる群より選ばれた少なくとも１種を更に含有する、請求項１又は２に記載したシラス石鹸。
【請求項６】
毛穴清掃及び老廃物除去効果と、無刺激での皮膚のうるおい効果とに加えて、更にアトピー症状抑制効果も示す、請求項５に記載したシラス石鹸。
【発明の詳細な説明】
【技術分野】
【０００１】
本発明は、シラス石鹸、特に、シラス入りの石鹸ベース材に特定物質を添加することによって、毛穴清掃及び老廃物除去効果と無刺激での皮膚のうるおい効果とを示し、更にはアトピー症状抑制効果も示すシラス石鹸に関するものである。
【背景技術】
【０００２】
一般に市販されている石鹸は、パームオイルを石鹸ベース材とし、これに種々の添加剤を添加した組成物からなっている。例えば、気泡力を上げるために、合成界面活性剤が添加される。
【０００３】
しかしながら、これまでの石鹸は、毛穴清掃効果が不十分であり、毛穴収縮効果に劣り、気泡力向上のために添加される合成界面活性剤は皮膚の刺激作用がある。これに加えて、皮膚の不純物の除去効果自体が不十分であり、脱臭効果も不十分である。
【０００４】
他方、シラスを石鹸ベースに添加してなるシラス石鹸が知られている。
【０００５】
「シラス」とは、我が国の南九州に広く分布する白色の火山噴出物、及びそれに由来する二次堆積物の総称であり、それらは鹿児島湾周辺で広大な台地を形成している。このシラスは、ガラス質に富むことから、ガラス質火山砕屑物と称される。
【０００６】
このシラスを電気炉で高温加熱して焼成発泡すると、サイズが３０〜６００μｍの中空ガラス球（シラスバルーン）となることが見出された。シラスバルーンは、シラスがその内部に水や揮発成分を有しているため、軟化温度内で急加熱すると、それらがガラス化して発泡、膨張し、中空体となることによって得られる。
【０００７】
シラスバルーンは、皮膚の角質層や皮膚の表層の油脂を除去する効果があることが認められている。例えば洗顔石鹸などの添加剤として、略１０μｍ〜略７０μｍの粒径範囲のシラスバルーンが使用される。
【０００８】
後記の特許文献１には、流動層式加熱炉に火山ガラス質堆積物の微粒子を供給するまでの処理を複雑化することなしに、融着物や未発泡物の発生を減少させる微粒中空ガラス球状体、いわゆるシラスバルーンの製造方法が開示されている。ここでは、火山ガラス質堆積物の微粒子に、親水性を減少させる親水性減少剤（シランカップリング剤、シリコーンオイル等）を混合し、生成した混合物を流動層式加熱炉によって９００℃〜１２００℃で熱処理することが記載されている。
【０００９】
こうしたシラスバルーン入りの石鹸には、他の添加物として、抗酸化性のポリフェノールや殺菌性のペニーロイヤルなどが添加される。
【００１０】
また、後記の特許文献２には、本出願人が既に提起した先願発明に係るシラス石鹸が記載されている。これは、粉砕機により粉砕して微粒化したシラスを遠心力の作用下で粒径選別用の回転式の篩により均一化し、得られた多孔質の超微粒シラスを他の添加物と共に含有させたシラス石鹸であって、超微粒シラスが基質として他の石鹸添加物の粒子を吸着して皮膚の表面まで移動させると共に、その石鹸添加物の粒子は、水中で超微粒シラスが皮膚に接触した際に超微粒シラスから離間して皮膚の表面に定着することを特徴としている。
【００１１】
この先願発明に係る添加物入りシラス石鹸によれば、シラスを皮膚表面の毛穴の隅々まで浸透させて、肌の角質層や肌に付着した油脂を効果的に除去すると同時に、石鹸添加物が有する肌への効果をシラスにより相乗的に増大させることができる。
【発明の概要】
【発明が解決しようとする課題】
【００１２】
上記したように、シラスバルーンは、洗顔石鹸などの添加剤として使用され、皮膚の角質層の除去、或いは皮膚の表層の油脂の除去に効果があることが知られているが、この特長を生かしつつ、更に種々の要求性能を充たすことのできる工夫が必要である。
【００１３】
例えば、洗顔効果を向上させることは勿論であるが、無刺激であって皮膚のうるおい効果に優れ、更にはアトピー症状の抑制効果にも優れたシラス石鹸が求められるが、未だ満足のいくものは提起されていない。
【００１４】
従って、本発明の目的は、シラス入りの石鹸ベース材に特定物質を添加することによって、毛穴清掃及び老廃物除去効果と無刺激での皮膚のうるおい効果とを示し、更にはアトピー症状抑制効果も示すシラス石鹸を提供することにある。
【課題を解決するための手段】
【００１５】
即ち、本発明は、石鹸ベース材（特にココナッツオイル）と、少なくともシラス（特に火山灰シラス）、トコフェロール（又はその誘導体、例えばトコフェリルアセテート）及びプロポリスとを含有してなるシラス石鹸に係るものである。
【発明の効果】
【００１６】
本発明のシラス石鹸によれば、石鹸ベースに添加されるシラスは、皮膚表面の毛穴の隅々まで浸透し、その天然高濃縮ミネラル成分が毛穴を清掃して、毛穴収縮を生じ、かつ肌の角質層や肌に付着した油脂を効果的に除去し、これと同時に、多孔質であることから、他の石鹸添加物の粒子を吸着して皮膚の表面まで移動させ、水分と皮膚が接する皮膚の表面の毛穴の隅々まで浸透させることができる。そして、その石鹸添加物の粒子は、水中でシラスが皮膚に接触した際にシラスから離間して皮膚の表面に定着して、その性能を十分に発揮することができる。
【００１７】
こうした他の石鹸添加物として、本発明では特に、トコフェロール（又はトコフェリルアセテート等の誘導体）が使用される。これは「ビタミンＥ」の本体をなすトコフェロール又はその誘導体であって、石鹸使用後も保湿効果に優れ、引きつる現象をなくして皮膚をしっとりしたうるおいのある肌となす成分であり、皮膚栄養補給作用、酸化防止作用、解毒作用もある。この場合、トコフェロール誘導体としてトコフェリルアセテートが挙げられるが、それ以外の誘導体であってもよく、或いはトコフェロール自体も使用可能である。また、プロポリスの添加によって、上記した皮膚のうるおいを向上させ、更に抗菌作用、抗炎症作用、免疫増強作用、抗癌作用、抗酸化作用などの生理活性作用もある。
【発明を実施するための形態】
【００１８】
本発明のシラス石鹸においては、前記シラスは火山灰シラス、特に数μｍ〜４０μｍ、特に粒径１０μｍ以下の微粒シラス（更には、粒径２μｍ以下の超微粒シラス）からなるのが望ましい。これは微粒シラスが皮膚の表面の毛穴などの隅々まで浸透し易く、効果的に肌の角質層や肌に付着した油脂を除去することができるからである。
【００１９】
こうした微粒シラスは、火山ガラス質堆積物を粉砕機で粉砕して１０μｍ以下の粒径に微粒化することにより得るのがよく、そして、遠心力を利用して粒径を選別する回転式の篩により、粒径を均一化するのがよい。
【００２０】
この微粒シラスはその表面がマイナスイオンに帯電されているので、プラスイオンを帯びた皮膚表面の付着不純物を引きつけて除去する作用もある。微粒シラスは多孔質であることから、それ自体が対象物の表面の細部にまで行き渡ると同時に、他の添加剤を吸着保持しながらその作用を十二分に発揮させることができる。また、この微粒シラスは遠赤外線を放出するので、皮膚表面の老廃物を除去する効果もある。
【００２１】
また、前記石鹸ベース材としてココナッツオイルを用いることが望ましい。ココナッツオイルは、ラウリル酸を豊富に含むため、柔らかくて豊かな泡の力による洗顔効果に優れ、抗菌性、保湿性にも優れている。この場合、従来のように気泡力向上のための合成界面活性剤を添加することはしないので、皮膚の刺激をなくすことができる。
【００２２】
また、石鹸ベース材に、オリーブオイル、スクアレン、ヒアルロン酸、香料及びグリセリンからなる群より選ばれた少なくとも１種を更に添加すると、毛穴清掃及び老廃物除去効果と、無刺激での皮膚のうるおい効果とが向上する。
【００２３】
オリーブオイル、スクアレン、ヒアルロン酸は、上記した皮膚のしっとりとしたうるおい状態をより向上させることができる。スクアレンはテルペン系油であり、過度な脱脂肪を防止して肌をソフトな状態とする。また、香料としては、ジャスミン、バラなどのフローラブーケの香りを呈するものがあり、ストレスなどの感情調節や皮膚軟化、水分及び皮脂調節の効果があり、乾燥及び脂性皮膚にも効果がある。ジャスミンやサンダルウッドを用いると、その香りは官能的でありながら品格もある。グリセリンは、保湿剤としての成分である。
【００２４】
また、石鹸ベース材に、落花生油、ヒノキチオール、アロエベラ、セラマイド、緑茶及びペニーロイヤルミントオイルからなる群より選ばれた少なくとも１種を更に添加すると、毛穴清掃及び老廃物除去効果と、無刺激での皮膚のうるおい効果とに加えて、更にアトピー症状抑制効果も示す。
【００２５】
落花生油は皮膚のかゆみの防止や保湿に効果があり、ヒノキチオールは抗菌力の範囲が広くて皮膚トラブルが少なく、保湿作用もある。アロエベラは抗菌・抗ウィルス効果、皮膚への弾力性付与、保湿性、鎮痛・鎮静作用によるかゆみ症と炎症による痛みの緩和、生体の蘇生作用を有する。セラマイドは皮膚の防御や回復作用、皮膚の活性作用を有し、緑茶はビタミンＣ及びトコフェロールなどの含有によって皮膚老化の防止、皮膚栄養補給作用を有する。ペニーロイヤルミントオイルは、虫が嫌う成分を含み、アトピーなどの皮膚病予防に効果がある。
【実施例】
【００２６】
次に、本発明を実施例について更に詳細に説明する。
【００２７】
まず、本実施例のシラス石鹸に用いる火山灰シラスについて説明する。この火山灰は、日本国鹿児島県吉田地区で採取したものであって、日本国では「ヨシダシラス」と呼ばれている。
【００２８】
この火山灰は、下記の表１の組成からなり、各成分の効能（生理的な特性及び効果）と共に示す（％は質量％を表わす）。
【００２９】
【表１】
2013155369.tif 000002
【００３０】
上記の成分を見れば、この火山灰は天然高濃縮ミネラル成分を含有していて、これらのミネラル成分が毛穴を清掃して毛穴収縮及び角質層除去作用を発揮する。
【００３１】
上記のヨシダシラスは、火山灰を所定の粒径となるまで粉砕した後に精製したものである。なお、他の火山灰も、ヨシダシラスと同等の作用、機能を有しているものであれば、使用可能である。
【００３２】
次に、下記の表２の成分からなるシラス石鹸を各成分の効能と共に示す。
【００３３】
【表２】
2013155369.tif 000003
【００３４】
次に、本実施例のシラス石鹸の製造方法を概略的に説明する。
【００３５】
まず、製造に必要な原料を秤量し、秤量された原料を配合機で混合する。次いで、この混合物を圧出機を通じて例えば６０メッシュに粉砕後、７０メッシュに粉砕する。２次回圧出後、３次回圧出の際、例えば８０メッシュを通過させる。４次回圧出の際、真空状態で気泡を除去し、例えば１００メッシュを通過させる。
【００３６】
そして次に、圧出された原料を型打ち機で成形する。成形した後、例えば１〜２日乾燥させる。乾燥された原料を包装する。
【００３７】
こうして得られた本実施例のシラス石鹸の性能を一般の石鹸と比較して下記の表３に示す。
【００３８】
【表３】
2013155369.tif 000004
【００３９】
次に、別の実施例によるアトピー症状抑制効果のあるシラス石鹸について説明する。
【００４０】
この例によるシラス石鹸は、上記した火山灰シラスを含む下記の表４の成分からなっていて、アトピー症状を抑制する効果を有し、上記した方法によって製造可能である。
【００４１】
【表４】
2013155369.tif 000005
【００４２】
次に、上記の表２及び表４に示した各成分の含有量を石鹸１００部（質量部：以下、単に数字で表わす。）に対してそれぞれ規定して、具体的な実験を行った。
【００４３】
<例１〜６>
本発明に基づく例１では、下記の表５に示す配合を行った。
【００４４】
【表５】
2013155369.tif 000006
【００４５】
そして、石鹸ベース材（ココナッツオイル）の含有量による気泡力実験を次のように行った。石鹸ベース１０ｇを、精製水９０gと混合して溶かした後、メスシリンダーにそれぞれ入れ、ちょうど１００ｍｌに合わせて、ディスパーで１２０ｒｐｍにセッティングして、１５秒間作動後の気泡の高さを測定した。この結果、下記の表６に示す配合例につき、下記の表７に示す効果が得られた。
【００４６】
【表６】
2013155369.tif 000007
【００４７】
【表７】
2013155369.tif 000008
【００４８】
上記の実験結果から、石鹸ベース材に対してココナッツオイル含有量を多くするほど、気泡の高さが高くなるのが分かった。
【００４９】
<例７〜１２>
次に、毛穴収縮効果のある火山灰シラスの含有量をそれぞれ下記の表８のように変化させ、他は上記と同様にシラス石鹸を製造した。
【００５０】
【表８】
2013155369.tif 000009
【００５１】
そして、男女３０〜４０代の毛穴が広い被実験者を各例それぞれ１０名ずつ選定した後、６つのグループに分けて火山灰の含有量によるそれぞれの毛穴収縮実験をした。毛穴収縮は、Facial Stage DM-3(Moritex, Japan)を使って毛穴の数を計った。
機器の測定は、測定する前の朝、夜の一日２回ずつ４週が経過した後に計り、グループ別の平均値を得、下記の表９にその結果を示す。
【００５２】
【表９】
2013155369.tif 000010
【００５３】
上記の実験の結果から、火山灰３％〜４％の含有量の例７と例８の場合、毛穴減少率は３０％とほぼ似ており、火山灰の含有量による毛穴の減少率にあまり違いはなかった。ただし、火山灰の含有量が３％未満になると、毛穴収縮減少率は減り、火山灰を添加しないと、毛穴収縮に変化がないことが分かった。
【００５４】
<例１３〜１６>
次に、アトピー症状抑制効果について、抗菌効果がある物質を使うと、アトピー症状が緩和されることは広く知られているが、抗菌力実験のために、ペニーロイヤルミントの添加と無添加に分けて下記の表１０のように配合してシラス石鹸を製造した。
【００５５】
【表１０】
2013155369.tif 000011
【００５６】
上記の処方で作られた石鹸１０％に水９０％を入れて溶解し、１０％の水溶液を作った。黄色ブドウ球菌とカビ菌に対し、抗菌力実験をした。PCA培地とPDA培地に、上記の１０％水溶液を500μｌ塗布して観察した。菌数＊20＝ｃｆｇ結果値の抗菌力を導出し、下記の表１１に示した（単位％）。
【００５７】
【表１１】
2013155369.tif 000012
【００５８】
上記の実験結果から、ペニーロイヤルミントを添加した時、抗菌力に優れることが分かった。このペニーロイヤルミントの含有量が０．２％と０．３％のときに抗菌力が高く、０．１％では抗菌力が弱いことが分かった。上記の実験結果から、ペニーロイヤルミントの理想的含有量は０．２％であることが分かった。
【産業上の利用可能性】
【００５９】
本発明は、毛穴清掃及び老廃物除去効果と無刺激での皮膚のうるおい効果とを示し、更にはアトピー症状抑制効果も示すシラス石鹸を提供することができる。
【先行技術文献】
【特許文献】
【００６０】
【特許文献１】特許第２５６２７８８号公報（特許請求の範囲、明細書の段落番号［    ０００７］〜［００３１］）
【特許文献２】特開２０１１−１０５９２０号公報（特許請求の範囲、明細書の段落    番号［００１２］〜［００２３］）